(57)【要約】【課題】ホルダー２０に装着したスライドカバー１０は、末端針２ＤＥの鋭利な末端（刃面）から最も遠い位置からスライドさせることにより、末端針２ＤＥの鋭利な末端（刃面）を安全に覆うことができる採血器具１を提供すること。【解決手段】スライドカバー１０は、操作部１２と針カバー１３とを有する。スライドカバー１０は、基端ＰＥ側に操作部１２を配置し、末端ＤＥ側に針カバー１３を配置している。ホルダー本体２０Ｈは、上部Ｕ側にスライドカバー装着部２０ＬＲを形成している。スライドカバー１０は、ホルダー２０の上部Ｕに装着した第一の状態から、ホルダー２０のスライドカバー装着部２０ＬＲに沿って、末端ＤＥ方向にスライドする。両端針２の末端針２ＤＥが針カバー１３で覆われ第二の状態となる。【選択図】図１
2014061205.tif 000002
【特許請求の範囲】
【請求項１】
両端針（２）、スライドカバー（１０）及びホルダー（２０）を有し、
前記両端針（２）は、針基（２Ｈ）と、末端針（２ＤＥ）及び基端針（２ＰＥ）とを有し、
前記針基（２Ｈ）は、基端側針基（２ＨＰＥ）に基端側針基装着部（２ＨＰＥＳ）を有し、
前記ホルダー（２０）は、ホルダー本体（２０Ｈ）を有し、
当該ホルダー本体（２０Ｈ）は、末端ＤＥに針基嵌合部（２１）を形成し、当該針基嵌合部（２１）は、内部に装着部（２１ＮＫ）を形成し、
前記ホルダー本体（２０Ｈ）は、側部Ｓ側にスライドカバー装着部（２０ＬＲ）を形成し、
当該スライドカバー装着部（２０ＬＲ）は、第１側部Ｓ１側と第２側部Ｓ２側に一対のコンビネーションにより形成し、
当該スライドカバー装着部（２０ＬＲ）は、ホルダー２０の長手方向に沿って、ホルダー２０の末端ＤＥ側から基端ＰＥ側にわたって形成し、
当該第１側部Ｓ１側スライドカバー装着部（２０ＬＲ）と、第２側部Ｓ２側スライドカバー装着部（２０ＬＲ）との間に、中央溝（２０ＬＲＣ）を形成し、
当該第１側部Ｓ１側スライドカバー装着部（２０ＬＲ）の第１側部Ｓ１側と、当該第２側部Ｓ２側スライドカバー装着部（２０ＬＲ）の第２側部Ｓ２側に、
末端側係止部（２０ＫＭＤＥ）と基端側係止部（２０ＫＭＰＥ）とを形成し、
当該末端側係止部（２０ＫＭＤＥ）と基端側係止部（２０ＫＭＰＥ）とは、第１側部Ｓ１側と第２側部Ｓ２側に一対のコンビネーションにより形成し、
前記スライドカバー（１０）は、操作部（１２）と針カバー（１３）とを有し、
当該スライドカバー（１０）は、基端ＰＥ側に前記操作部（１２）を配置し、末端ＤＥ側に前記針カバー（１３）を配置し、
前記操作部（１２）は、下部Ｄ側は開口を有し、末端ＤＥ側で、かつ下部Ｕ側に、ホルダー当接部（１２ＨＳ）を有し、
前記操作部（１２）は、基端ＰＥ側に、基端側接続部（１２ＳＰＥ）を形成し、
当該基端側接続部（１２ＳＰＥ）は、第１側部Ｓ１側と第２側部Ｓ２側
にとの一対のコンビネーションにより形成し、
前記両端針（２）の基端側針基装着部（２ＨＰＥＳ）を、前記ホルダー（２０）の針基装着部（２１ＮＫ）に接続し、
前記スライドカバー（１０）の基端側係止部（１２ＫＴＰＥ）を、前記ホルダー（２０）の基端側係止部（２０ＫＭＰＥ）に係止し、
前記スライドカバー（１０）の針カバー（１３）を、前記ホルダー（２０）の中央溝（２０ＬＲＣ）に装着し、前記操作部（１２）のホルダー当接部（１２ＨＳ）を、ホルダー（２０）のスライドカバー当接部（２０ＬＲＦ）に当接し、
前記スライドカバー（１０）は、前記ホルダー（２０）に装着した第一の状態となり、
前記スライドカバー（１０）は、前記ホルダー（２０）のスライドカバー装着部（２０ＬＲ）に沿って、末端ＤＥ方向にスライドし、前記両端針（２）の末端針（２ＤＥ）は、前記針カバー（１３）で覆われる第二の状態となる、
ことを特徴とする採血器具（１）。
【請求項２】
第一の状態から第二の状態になるとき、前記スライドカバー（１０）の操作部（１２）は、前記両端針（２）の末端側針基（２ＨＤＥ）に装着されることを特徴とする
請求項１に記載の採血器具（１）。
【請求項３】
前記ホルダー（２０）の前記スライドカバー装着部（２０ＬＲ）は、一対のレール状に形成したことを特徴とする請求項１または請求項２に記載の採血器具（１）。
【請求項４】
前記ホルダー（２０）の前記基端側係止部（２０ＫＭＰＥ）と末端側係止部（２０ＫＭＤＥ）は、小穴状に形成し、前記スライドカバー（１０）の前記基端側係止部（１２ＫＴＰＥ）は、突状に形成した、ことを特徴とする請求項１から請求項３のいずれか１項に記載の採血器具（１）。
【請求項５】
前記スライドカバー（１０）の操作部（１２）は、略箱状を有し、下部Ｄ側は開口
し、末端ＤＥ側で、かつ下部Ｕ側に、ホルダー当接部（１２ＨＳ）を有し、
当該ホルダー当接部（１２ＨＳ）は、略半円状溝に形成し、第１側部Ｓ１側と第２側部Ｓ２側の一対のコンビネーションにより形成した、ことを特徴とする請求項１から請求項４のいずれか１項に記載の採血器具（１）。
【請求項６】
前記スライドカバー装着部（２０ＬＲ）のスライドカバー当接部（２０ＬＲＦ）は、当該スライドカバー装着部（２０ＬＲ）の上部Ｄ側ないし側部Ｓ側に、長手方向に沿って形成した、ことを特徴とする請求項１から請求項５のいずれか１項に記載の採血器具（１）。
【請求項７】
前記両端針（２）は、前記針基（２Ｈ）の末端側針基（２ＨＤＥ）に、末端側針基リブ（２ＨＤＥＲ）を形成し、
当該末端側針基リブ（２ＨＤＥＲ）の一つを末端側針基異径リブ（２ＨＤＥＲ１）
に形成し、
前記末端針（２ＤＥ）の鋭利な末端ＤＥ側の刃面の向きが識別できるよう形成した、
ことを特徴とする請求項１から請求項６のいずれか１項に記載の採血器具（１）。
【発明の詳細な説明】
【技術分野】
【０００１】
本発明は、血液検査のために血液試料を、採取する採血器具（「採血管セット」ともいう）に関する。
具体的には、両端針（採血針ともいう）とホルダー（採血管ホルダーともいう）とを有し、採血管への採血が可能で、使用後（採血終了後）は、使用者（医師、看護師）が、針および針基に触れることなく、両端針を針カバーで覆って安全に廃棄することができる採血器具に関するものである。
【背景技術】
【０００２】
現在市場にある採血器具は、採血管ホルダーと両端針との接続を強固にするために両者をネジによる螺合ないし嵌合構造により接続した製品が多い。当該製品は、採血管ホルダーと両端針とを容易に分離できないため、使用後の使用者（医師、看護師）への誤刺を防止するために両端針の露出した側の針に再キャップをする必要がある。
この再キャップ操作が、使用済み針（露出した側の針）の誤刺の原因となっている。
【０００３】
そこで、採血管ホルダーに接続した両端針を針カバーで覆って、使用者（医師、看護師）が針および針基に触れることなく、採血管ホルダーとともに廃棄が可能な構造の採血器具が開発されている。
このような、採血器具に関する先行技術の一例として、特許文献１に、以下のような、採血器具の発明が開示されている。
【０００４】
採血器具（医療具）は、ハブ６０（両端針針基）と、ハブ６０から先端方向に突出する穿刺部材４０（末端針）とを備えている。静脈被覆部材（末端針のキャップ）は、ハブの先端部と螺合係合し、穿刺部材（末端針）を被覆保護している。
さらにヒンジ付き被覆部材１４０が、ハブ６０にヒンジ接続可能に取り付けられている。ヒンジ付き被覆部材１４０は、静脈被覆部材（末端針のキャップ）に実質隣接
する第１位置から、静脈被覆部材（末端針のキャップ）から離間する方向（第２位置へ）回転することができる。さらに最終的には、穿刺部材（末端針）を包囲する第３位置へ回転することができる。
使用の際、ヒンジ付き被覆部材は、静脈被覆部材との螺合係合を解除して、穿刺部材を露出させるために、第１位置から第２位置へ回転する。
使用後、ヒンジ付き被覆部材は、穿刺部材（末端針）を被覆保護するために、第２位置から第３位置へと回転する。
【０００５】
以上のように、使用者（医師、看護師）は、ヒンジ付き被覆部材により、穿刺部材（末端針）を被覆保護状態で、安全に廃棄することができる。
しかしながら、特許文献１に記載されている採血器具のように、ヒンジ付き被覆部材を、回転させて、穿刺部材（末端針）を被覆保護するものは、以下の課題が挙げられる。
【先行技術文献】
【特許文献】
【０００６】
【特許文献１】特開２００４−１６０１７３号公報（要約の欄、図１）
【発明の概要】
【発明が解決しようとする課題】
【０００７】
特許文献１に記載の発明は、
（ａ）ヒンジ付き被覆部材は、ホルダーの長手方向に回転するように形成されているので、使用中にヒンジ付き被覆部材を回転させると、使用空間中で嵩張り、操作の妨げを招く懸念がある。
（ｂ）ヒンジ付き被覆部材は、ハブ６０（両端針基）の側部（外周）方向に配置されるので、全体のサイズが大きくなる。さらにヒンジ付き被覆部材が障害となるため、また穿刺部材４０の患者の穿刺方向、穿刺角度が限定され、使用者にとっては使用しずらい場合がある。
（ｃ）ヒンジ付き被覆部材は、ハブ６０（両端針基）側につば９０（管状体）を介して配置している。このため配置位置が、穿刺部材４０（末端針）に近いので、使用者（医師、看護師）は、針刺し事故の懸念が依然として残る。
等が挙げられる。
【課題を解決するための手段】
【０００８】
本発明者は、以上の課題を解決するために鋭意検討を重ねた結果、
針カバーの形態、取り付け機構を改良した以下の新規な採血器具の発明に到達した。
【０００９】
［１］本発明は、両端針（２）、スライドカバー（１０）及びホルダー（２０）を有し、
前記両端針（２）は、針基（２Ｈ）と、末端針（２ＤＥ）及び基端針（２ＰＥ）とを有し、
前記針基（２Ｈ）は、基端側針基（２ＨＰＥ）に基端側針基装着部（２ＨＰＥＳ）を有し、
前記ホルダー（２０）は、ホルダー本体（２０Ｈ）を有し、
当該ホルダー本体（２０Ｈ）は、末端ＤＥに針基嵌合部（２１）を形成し、当該針基嵌合部（２１）は、内部に装着部（２１ＮＫ）を形成し、
前記ホルダー本体（２０Ｈ）は、側部Ｓ側にスライドカバー装着部（２０ＬＲ）を形成し、
当該スライドカバー装着部（２０ＬＲ）は、第１側部Ｓ１側と第２側部Ｓ２側に一対のコンビネーションにより形成し、
当該スライドカバー装着部（２０ＬＲ）は、ホルダー２０の長手方向に沿って、ホルダー２０の末端ＤＥ側から基端ＰＥ側にわたって形成し、
当該第１側部Ｓ１側スライドカバー装着部（２０ＬＲ）と、第２側部Ｓ２側スライドカバー装着部（２０ＬＲ）との間に、中央溝（２０ＬＲＣ）を形成し、
当該第１側部Ｓ１側スライドカバー装着部（２０ＬＲ）の第１側部Ｓ１側と、当該第２側部Ｓ２側スライドカバー装着部（２０ＬＲ）の第２側部Ｓ２側に、
末端側係止部（２０ＫＭＤＥ）と基端側係止部（２０ＫＭＰＥ）とを形成し、
当該末端側係止部（２０ＫＭＤＥ）と基端側係止部（２０ＫＭＰＥ）とは、第１側部Ｓ１側と第２側部Ｓ２側に一対のコンビネーションにより形成し、
前記スライドカバー（１０）は、操作部（１２）と針カバー（１３）とを有し、
当該スライドカバー（１０）は、基端ＰＥ側に前記操作部（１２）を配置し、末端ＤＥ側に前記針カバー（１３）を配置し、
前記操作部（１２）は、下部Ｄ側は開口を有し、末端ＤＥ側で、かつ下部Ｕ側に、ホルダー当接部（１２ＨＳ）を有し、
前記操作部（１２）は、基端ＰＥ側に、基端側接続部（１２ＳＰＥ）を形成し、
当該基端側接続部（１２ＳＰＥ）は、第１側部Ｓ１側と第２側部Ｓ２側
にとの一対のコンビネーションにより形成し、
前記両端針（２）の基端側針基装着部（２ＨＰＥＳ）を、前記ホルダー（２０）の針基装着部（２１ＮＫ）に接続し、
前記スライドカバー（１０）の基端側係止部（１２ＫＴＰＥ）を、前記ホルダー（２０）の基端側係止部（２０ＫＭＰＥ）に係止し、
前記スライドカバー（１０）の針カバー（１３）を、前記ホルダー（２０）の中央溝（２０ＬＲＣ）に装着し、前記操作部（１２）のホルダー当接部（１２ＨＳ）を、ホルダー（２０）のスライドカバー当接部（２０ＬＲＦ）に当接し、
前記スライドカバー（１０）は、前記ホルダー（２０）に装着した第一の状態となり、
前記スライドカバー（１０）は、前記ホルダー（２０）のスライドカバー装着部（２０ＬＲ）に沿って、末端ＤＥ方向にスライドし、前記両端針（２）の末端針（２ＤＥ）は、前記針カバー（１３）で覆われる第二の状態となる採血器具（１）を提供する。
【００１０】
［２］本発明は、第一の状態から第二の状態になるとき、前記スライドカバー（１０）の操作部（１２）は、前記両端針（２）の末端側針基（２ＨＤＥ）に装着される[１]に記載の採血器具（１）を提供する。
［３］本発明は、前記ホルダー（２０）の前記スライドカバー装着部（２０ＬＲ）は、一対のレール状に形成した［１］または［２］に記載の採血器具（１）を提供する。
［４］本発明は、前記ホルダー（２０）の前記基端側係止部（２０ＫＭＰＥ）と末端側係止部（２０ＫＭＤＥ）は、小穴状に形成し、前記スライドカバー（１０）の前記基端側係止部（１２ＫＴＰＥ）は、突状に形成した［１］から［３］のいずれか１に記載の採血器具（１）を提供する。
【００１１】
［５］本発明は、前記スライドカバー（１０）の操作部（１２）は、略箱状を有し、下部Ｄ側は開口し、末端ＤＥ側で、かつ下部Ｕ側に、ホルダー当接部（１２ＨＳ）を有し、
当該ホルダー当接部（１２ＨＳ）は、略半円状溝に形成し、第１側部Ｓ１側と第２側部Ｓ２側の一対のコンビネーションにより形成した［１］から［４］のいずれか１に記載の採血器具（１）を提供する。
［６］本発明は、前記スライドカバー装着部（２０ＬＲ）のスライドカバー当接部（２０ＬＲＦ）は、当該スライドカバー装着部（２０ＬＲ）の上部Ｄ側ないし側部Ｓ側に、長手方向に沿って形成した［１］から［５］のいずれか１に記載の採血器具（１）を提供する。
［７］本発明は、前記両端針（２）は、前記針基（２Ｈ）の末端側針基（２ＨＤＥ）に、末端側針基リブ（２ＨＤＥＲ）を形成し、
当該末端側針基リブ（２ＨＤＥＲ）の一つを末端側針基異径リブ（２ＨＤＥＲ１）
に形成し、
前記末端針（２ＤＥ）の鋭利な末端ＤＥ側の刃面の向きが識別できるよう形成した
［１］から［６］のいずれか１に記載の採血器具（１）を提供する。
【発明の効果】
【００１２】
（１）本発明の採血器具は、ホルダー２０側に、スライドカバー１０を装着している。
このため全体のサイズをコンパクトにすることができる。
（２）スライドカバー１０の操作部材１２は、ホルダー２０に装着した末端針２ＤＥから最も遠い基端ＰＥ部側に配置している。
操作部材１２は、基端ＰＥ側[末端針２ＤＥの鋭利な末端ＤＥ（刃面）から最も遠い位置]から末端ＤＥ側へスライドさせることにより、末端針２ＤＥの鋭利な末端ＤＥ（刃面）を、安全に覆うことができる。このため特許文献１に記載の発明と
比較して安全性が高い。
（３）スライドカバー１０は、ホルダー２０の長手方向に沿って、末端ＤＥ方向に移動（スライド）するので、側部Ｓ方向（第１側部Ｓ１方向、第２側部Ｓ２方向）に突出することがない。このため特許文献１に記載の発明のように使用空間中で嵩張りがなく、操作性に優れる。
【図面の簡単な説明】
【００１３】
【図１】図１は、本発明の採血器具の全体斜視図（組み立て後の状態、スライドカバーが基端ＰＥ方向にある状態）である。末端ＤＥ方向で、第１側部Ｓ１方向かつ上部Ｕ方向から見た全体斜視図である。
【図２】図２は、図１を第１側部Ｓ１方向から見た側面図である。
【図３】図３は、本発明の採血器具の全体斜視図（組み立て後の状態、スライドカバーが末端ＤＥ方向にある状態、スライドカバーの針カバーで、両端針の末端針を覆った状態）である。末端ＤＥ方向で、第１側部Ｓ１方向かつ上部Ｕ方向から見た全体斜視図である。
【図４】図３を第１側部Ｓ１方向から見た側面図である。
【図５】図５は、本発明の採血器具のホルダーの全体斜視図である。末端ＤＥ方向で、第１側部Ｓ１方向かつ上部Ｕ方向から見た全体斜視図である。
【図６】図６は、本発明の採血器具のホルダーの全体斜視図である。基端ＰＥ方向で、第１側部Ｓ１方向かつ上部Ｕ方向から見た全体斜視図である。
【図７】図７は、図５を第１側部Ｓ１方向から見た側面図である。
【図８】図８はホルダーの側面図である。（Ａ）は末端ＰＥから見た側面図、（Ｂ）はは基端ＰＥから見た側面図である。
【図９】図９は、本発明の採血器具のスライドカバーの全体斜視図である。末端ＤＥ方向で、第１側部Ｓ１方向かつ上部Ｕ方向から見た全体斜視図である。
【図１０】図１０は、本発明の採血器具のスライドカバーの全体斜視図である。基端ＰＥ方向で、第１側部Ｓ１方向かつ上部Ｕ方向から見た全体斜視図である。
【図１１】図１１は、本発明の採血器具のスライドカバーの側面図である。（Ａ）は第１側部Ｓ１方向から見た側面図である。（Ｂ）は、末端ＤＥ方向から見た斜視図である。（Ｃ）は、基端ＰＥ方向から見た斜視図である。
【図１２】図１２は、本発明の採血器具の両端針の全体斜視図である。末端ＤＥ方向で、第１側部Ｓ１方向かつ上部Ｕ方向から見た全体斜視図である。
【図１３】図１３は、本発明の採血器具の両端針の全体斜視図である。基端ＰＥ方向で、第１側部Ｓ１方向かつ上部Ｕ方向から見た全体斜視図である。
【図１４】図１４は、本発明の採血器具の両端針の側面図である。（Ａ）は末端ＤＥ方向から見た側面図である。（Ｂ）は基端ＰＥ方向から見た側面図である。（Ｃ）は第１側部Ｓ１方向から見た側面図である。
【図１５】図１５は、両端針の基端針に装着されるシースＳＨの全体図である。（Ａ）は、末端ＤＥ方向で、第１側部Ｓ１方向かつ上部Ｕ方向から見た全体斜視図である。（Ｂ）は、基端ＰＥ方向で、第１側部Ｓ１方向かつ上部Ｕ方向から見た全体斜視図である。（Ｃ）は、末端ＤＥ方向から見た側面図である。（Ｄ）は、第１側部Ｓ１方向から見た側面図である。（Ｅ）は、基端ＰＥ方向から見た側面図である。
【発明を実施するための形態】
【００１４】
以下、図面を参照しながら本発明を詳細に説明する。
以下、本発明を明確に説明するため、次の定義をおく。
（定義１）本発明の採血器具において、「第一の状態」とは、図１に示すように、スライドカバー１０を、ホルダー２０に装着した状態を意味する。
【００１５】
（定義２）「第二の状態」とは、図３に示すように、スライドカバー１０の針カバーで、両端針２を覆った状態を意味する。
（定義３）「移行状態」とは、「第一の状態」から「第二の状態」へ移行する途中の状態を意味する。
（定義４）「移行開始状態」とは、「第一の状態」から「第二の状態」へ移行を開始する初期の状態を意味する。
（定義５）「移行終了状態」とは、「第一の状態」から「第二の状態」へ移行を終了する間際の状態を意味する。
（定義６）本発明で、「末端ＤＥ（側または方向）」とは、図１に示すように、両端針の末端針の鋭利な尖端側の端部を意味する。
（定義７）「基端ＰＥ（側または方向）」とは、図１に示すように、「末端ＤＥ（側または方向）」と反対側の端部を意味する。さらにいえば、ホルダー２０のフランジ２０Ｆ側の端部を意味する。
【００１６】
（定義８）「水平軸線ＨＬ（方向）」とは、図１に示すように、採血器具１が長手方向に延びる方向（図の破線参照）を意味する。なお説明で必要な場合は、長手Ｌ方向の水平軸線を「ＨＬＬ」、側部Ｓ方向の水平軸線を「ＨＬＳ」とそれぞれ区別して記載する。
（定義９）「垂直軸線ＶＬ（方向）」とは、図１に示すように、長手方向と略垂直に交差して延びる方向（図の破線参照）を意味する。
（定義１０）「第１側部Ｓ１（側または方向）」とは、図１に示すように、例えばホルダー２０の右側端部の方向（図の破線矢印参照）を意味する。
（定義１１）「第２側部Ｓ２（側または方向）」とは、図１に示すように、例えばホルダー２０の左側端部の方向（図の破線矢印参照）を意味する。
（定義１２）「上部Ｕ（側または方向）」とは、図１に示すように、例えばホルダー２０の上部方向（図の破線矢印参照）を意味する。
（定義１３）「下部Ｄ（側または方向）」とは、図１に示すように、例えばホルダー２０の下部方向（図の破線矢印参照）を意味する。
（定義１４）「長手方向」とは、「採血器具」全体の長手方向［水平軸線ＨＬ（方向）］を意味する）。
（定義１５）単に「Ｓ部（側または方向）」とは、「第１側部Ｓ１（側または方向）」、
「第２側部Ｓ２（側または方向）」、「上部Ｕ（側または方向）」、「下部Ｄ（側または方向）」、これらの間の全ての方向を意味する。
（各構成部品の名称の位置・配置等の方向性を示す符号の記載について）
本発明の図面及び発明の説明の中で、例えば図４に例示するように、ホルダー２０の符号で、第１側部Ｓ１側のスライドカバー装着部を「２０ＬＲ／Ｓ１」、第２側部Ｓ２側のスライドカバー装着部を「２０ＬＲ／Ｓ２」と記載した。
なおこれらのスライドカバー装着部２０ＬＲ並びにこれら以外の各構成部品の名称で、「第１側部Ｓ１側」等の位置・配置等の方向性を示す符号は、発明の理解ができ、必要と認められる範囲内で、図面及び発明の説明の中で一部のみについて記載した。
【００１７】
［採血器具１］          
本発明の採血器具１について、以下、図面を参照しながら説明する。            
本発明の採血器具１は、図１〜図４に示すように、両端針２、スライドカバー１０、ホルダー２０を有する。
採血器具１は、末端ＤＥから基端ＰＥに向けて、両端針２、ホルダー２０を配置している。
ホルダー２０の側部Ｓ（上部Ｕ）側に、スライドカバー１０を装着している。
ホルダー２０の末端ＤＥ側に、両端針２の針基２Ｈを装着している。
以下これらの各部材の形態、機能は、以下のとおりである。
【００１８】
[両端針２]
両端針２は、図１２〜図１４に示すように、針基２Ｈ、末端針２ＤＥ、基端針２ＰＥを有する。
針基２Ｈは、略中央部にフランジ２ＨＦを有する。フランジ２ＨＦの末端ＤＥ側に末端側針基２ＨＤＥを形成し、基端ＰＥ側に基端側針基２ＨＰＥを形成している。
末端側針基２ＨＤＥは、末端針２ＤＥの基端ＰＥ側を装着している。
末端針２ＤＥの鋭利な末端（刃面）は、末端ＤＥ側に位置している。
基端側針基２ＨＰＥは、基端ＰＥ側に、基端針２ＰＥを装着している。
末端側針基２ＨＤＥは、外部（外周、外側壁部、側部Ｓ方向）に複数のリブ２ＨＤＥＲ（図１２〜図１４の例示では四箇所）を形成している。
これらのリブ２ＨＤＥＲの中の一つに、末端針２ＤＥの刃面の方向を解りやすくするための異径リブ２ＨＤＥＲ１（名称、符号、要検討）を形成している。
基端側針基２ＨＰＥは、外部（外周、外側壁部、側部Ｓ方向）に装着部（螺合部、ネジ部ともいう）２ＨＰＥＳを形成している。
【００１９】
（シースＳＨ）
シースＳＨは、図１５（Ａ）〜（Ｅ）に示すように、いわゆる「略管状体」の形態を有している。
シースＳＨは、末端ＤＥ側に、フランジ部ＳＨＲを形成している。
【００２０】
[ホルダー２０]
ホルダー２０は、図１〜図８に例示するように、いわゆる「略円筒状」に形成している。
ホルダー２０は、末端ＤＥ側に針基嵌合部２１を形成している。針基嵌合部２１内部（内周、内側壁部、側部Ｓ方向）に装着部２１ＮＫを形成している。装着部２１ＮＫはいわゆる「螺子状」に形成し、「螺合部」ともいう。
ホルダー２０は、基端ＰＥ側に、基端側開口部２０ＰＥＯを形成している。
基端側開口部２０ＰＥＯの外部（外周、外側壁部、側部Ｓ方向）に、フランジ２０Ｆを形成している。
【００２１】
ホルダー２０は、側部Ｓ（上部Ｕ）側にスライドカバー装着部２０ＬＲを形成している。
スライドカバー装着部２０ＬＲは、いわゆる「略レール状」に形成している。
さらにいえば、スライドカバー装着部２０ＬＲは、第１側部Ｓ１側スライドカバー装着部２０ＬＲ／Ｓ１と第２側部Ｓ２側スライドカバー装着部２０ＬＲ／Ｓ２との一対のコンビネーションにより形成している。
スライドカバー装着部２０ＬＲは、ホルダー２０の長手方向に沿って、ホルダー２０の末端ＤＥ側から基端ＰＥ側にわたって形成している。
さらにいえば、スライドカバー装着部２０ＬＲは、ホルダー２０の末端ＤＥ側で、
針基嵌合部２１の基端ＰＥ側と繋がるまで延設し、基端ＰＥ側でフランジ２０Ｆと繋がるまで延設している。
【００２２】
スライドカバー装着部２０ＬＲは、第１側部Ｓ１側スライドカバー装着部２０ＬＲ／Ｓ１と第２側部Ｓ２側スライドカバー装着部２０ＬＲ／Ｓ２との間に、中央溝２０ＬＲＣを形成している。
スライドカバー装着部２０ＬＲは、側部Ｓ方向にスライド溝２０ＬＲＳを有する。
第１側部Ｓ１側スライドカバー装着部２０ＬＲ／Ｓ１は、第１側部Ｓ１方向に、第１側部Ｓ１側スライド溝２０ＬＲＳ／Ｓ１を有し、第２側部Ｓ２側スライドカバー装着部２０ＬＲ／Ｓ２は、第２側部Ｓ２方向に、第２側部Ｓ２側スライド溝２０ＬＲＳ／Ｓ２を有する。
中央溝２０ＬＲＣとスライド溝２０ＬＲＳ（２０ＬＲＳ／Ｓ１と２０ＬＲＳ／Ｓ２）は、ホルダー２０の長手方向に沿って、ホルダー２０の末端ＤＥ側から基端ＰＥ側にわたって形成している。
中央溝２０ＬＲＣの第１側部Ｓ１側と第２側部Ｓ２側に、スライド溝２０ＬＲＳ
を形成している。
スライド溝２０ＬＲＳは、基端ＰＥ側に基端側係止部２０ＫＭＰＥを形成し、末端ＤＥ側に末端側係止部２０ＫＭＤＥを形成している。
基端側係止部２０ＫＭＰＥと末端側係止部２０ＫＭＤＥは、第１側部Ｓ１側と第２側部Ｓ２側とにそれぞれ一対のコンビネーションにより形成している。
基端側係止部２０ＫＭＰＥと末端側係止部２０ＫＭＤＥは、いわゆる「小穴状」（孔、溝ともいう）を有し、後述するスライドカバー１０の基端側係止部１２ＫＴＰＥが、
係止できるように形成している。
【００２３】
スライドカバー装着部２０ＬＲは、スライドカバー当接部２０ＬＲＦを有する。
スライドカバー当接部２０ＬＲＦは、スライドカバー１０の操作部１２に当接する。
スライドカバー当接部２０ＬＲＦは、スライドカバー装着部２０ＬＲの上部Ｄ側ないし側部Ｓ側に、ホルダー２０の長手方向に沿って、ホルダー２０の末端ＤＥ側から基端ＰＥ側にわたって若干丸未みをおびて隆起した形状を有する。
【００２４】
[スライドカバー１０]
スライドカバー１０は、図１〜図４、図９〜１１に例示するように、操作部１２と針カバー１３とを有する。
スライドカバー１０は、基端ＰＥ側に操作部１２を配置し、末端ＤＥ側に針カバー１３を配置している。
スライドカバー１０は、針カバー１３の基端ＰＥ側の上部Ｕと、操作部１２の末端ＤＥ側の下部Ｄとを一体成形している。
操作部１２は、いわゆる「略箱状」を有し、下部Ｄ側は開口している。（「開口」の符号は、あえて記載せず。）
【００２５】
操作部１２は、末端ＤＥ側で、かつ下部Ｕ側に、ホルダー当接部１２ＨＳを有する。
ホルダー当接部１２ＨＳは、第１側部Ｓ１側（１２ＨＳ／Ｓ１）と第２側部Ｓ２側（１２ＨＳ／Ｓ２）とにそれぞれ一対のコンビネーションにより形成している。
ホルダー当接部１２ＨＳは、いわゆる「略半円状溝」（孔、溝ともいう）を有し、スライドカバー装着部２０ＬＲ（２０ＬＲ／Ｓ１、２０ＬＲ／Ｓ２）に形成したスライドカバー当接部２０ＬＲＦに当接し、末端ＤＥ側に移動（スライド）できるように形成している。
操作部１２は、基端ＰＥ側に、基端側接続部１２ＳＰＥを形成している。
基端側接続部１２ＳＰＥは、いわゆる「屈曲した略板状」に形成している。
基端側接続部１２ＳＰＥは、第１側部Ｓ１側基端側接続部１２ＳＰＥ／Ｓ１と第２側部Ｓ２側基端側接続部１２ＳＰＥ／Ｓ２との一対のコンビネーションにより形成している。
【００２６】
基端側接続部１２ＳＰＥ（第１側部Ｓ１側基端側接続部１２ＳＰＥ／Ｓ１と第２側部Ｓ２側基端側接続部１２ＳＰＥ／Ｓ２）は、内部（内周、内側壁部、側部Ｓ方向）
に、基端側係止部１２ＫＴＰＥを形成している。
基端側係止部１２ＫＴＰＥは、いわゆる「突状」を有し、ホルダー２０の基端側係止部２０ＫＭＰＥと末端側係止部２０ＫＭＤＥに係止できるように形成している。
操作部１２は、上部Ｕに凹凸部１２ＭＴを形成している。凹凸部１２ＭＴは、使用者（医師、看護師）が指で押さえて、スライドカバー１０を末端ＤＥ方向にスライドさえるときに、力を加えやすく操作を容易にすることができる。
針カバー１３は、長手方向にのびるいわゆる「略半円筒状」を有し、末端ＤＥ側は閉塞し、下部Ｄ側及び基端ＰＥ側は開口している。（「開口」の符号は、あえて記載せず。）
【００２７】
（スライドカバー１０の機能）
図１に示すように、スライドカバー１０をホルダー２０のスライドカバー装着部２０ＬＲに装着する。ホルダー２０の針基装着部２１ＮＫに、両端針２の基端側針基装着部２ＨＰＥＳを装着する。
スライドカバー１０の操作部１２の凹凸部１２ＭＴを、指で押さえて、末端ＤＥ方向に押す。
スライドカバー１０は、ホルダー２０のスライドカバー装着部２０ＬＲに沿って、
末端ＤＥ方向にスライドし、両端針２の末端針２ＤＥは、針カバー１３で覆われる。
採血器具１は、使用後、両端針２の末端針２ＤＥを針カバー１３で覆った状態で廃棄することができる。
【００２８】
さらにいえば本発明のスライドカバー１０の操作部１２は、末端針２ＤＥの鋭利な末端ＤＥ側の刃面から最も遠い位置、すなわち基端ＰＥ側から末端ＤＥ側へスライドさせて、末端針２ＤＥを覆うことができるので、特許文献１に記載の発明のように、末端針２ＤＥの鋭利な末端ＤＥ側の刃面から近い位置より回転させて、末端針２ＤＥを覆う発明よりもはるかに安全性が高く、使用者（医師、看護師）は、安心して使用することができる。
【００２９】
（採血器具の組立）
以上説明した本発明の採血器具１の両端針２、スライドカバー１０、ホルダー２０の各部材の組立方法の一例について説明する。
（１）両端針２（の基端側針基２ＨＰＥ）の基端側針基装着部２ＨＰＥＳを、ホルダー２０の針基装着部２１ＮＫに接続する。
（２）スライドカバー１０の基端側係止部１２ＫＴＰＥを、ホルダー２０の基端側係止部２０ＫＭＰＥに係止する。
（３）スライドカバー１０の針カバー１３を、ホルダー２０の中央溝２０ＬＲＣに装着し、操作部１２のホルダー当接部１２ＨＳを、ホルダー２０のスライドカバー当接部２０ＬＲＦに当接する。
図１に示すように、スライドカバー１０は、ホルダー２０の上部Ｕに装着され、「第一の状態」となる。
【００３０】
（使用方法）
次に採血器具１の使用方法の一例について説明する。
（１）末端針２ＤＥを、患者に穿刺する。両端針２は、接続部材１０の針基嵌合部１１と強固に接続［螺号（螺子嵌合）］している。このため穿刺操作を安定して行うことができる。
（２）ホルダー２０の基端側開口部２０ＰＥＯから採血管（図示せず）を挿入し、基端針２ＰＥ（シースＳＨを装着した状態）を、採血管の口部に穿刺して、採血を行う。
（３）採血終了後、図１〜図２の（「第一の状態」）［両端針２をホルダー２０に装着した状態］から、ホルダー２０を片方の手で持ち、他方の手の指で、スライドカバー１０の操作部１２の凹凸部１２ＭＴを押さえて、スライドカバー１０を、末端ＤＥ方向にスライドさせる。
（４）スライドカバー１０は、ホルダー２０のスライドカバー装着部２０ＬＲに沿って、末端ＤＥ方向にスライドする。
（５）スライドカバー１０の操作部１２は、下部Ｄ側より、両端針２の末端側針基２ＨＤＥに、「音」を立てて装着される。両端針２の末端針２ＤＥは、針カバー１３で覆われる。[図３〜図４の（「第二の状態」）になる。]
使用者には、「音」とともに操作部１２が末端側針基２ＨＤＥに装着された感触が伝達される。これにより使用者は、両端針２の末端針２ＤＥが、針カバー１３で覆われたことを確認することができる。
【００３１】
（６）採血器具１は、使用後、両端針２の末端針２ＤＥを針カバー１３で覆った状態で廃棄することができる。
スライドカバー１０は、末端針２ＤＥの鋭利な末端ＤＥ側の刃面から最も遠い位置、すなわち基端ＰＥ側から末端ＤＥ側へスライドさせて、末端針２ＤＥを覆うことができるので、安全性が高く、使用者（医師、看護師）は、安心して使用することができる。
【００３２】
［各部品の材料、製法等］
両端針２の末端針２ＤＥと基端針２ＰＥは、一本のＳＵＳ製パイプの両端を加工して作製した。
針基２Ｈはポリプロピレン製で、射出成形により作製した。
両端針２は、基端針２ＰＥ側の刃先からポリプロピレン製針基２Ｈに挿入して、接着剤により接着した。
スライドカバー１０とホルダー２０は、ポリプロピレン製で、射出成形により作製した。
シースＳＨは、合成ゴム製でプレス成形により作製した。
【符号の説明】
【００３３】
１            採血器具
２            両端針
２ＤＥ        末端針
２ＰＥ        基端針
２Ｈ          針基
２ＨＤＥ      末端側針基
２ＨＤＥＲ    末端側針基リブ
２ＨＤＥＲ１  末端側針基異径リブ      
２ＨＰＥ      基端側針基
２ＨＰＥＳ    基端側針基装着部
２ＨＦ        フランジ
１０          スライドカバー
１２          操作部
１２ＳＰＥ    操作部基端側接続部      
１２ＫＴＰＥ  基端側係止部
１２ＨＳ      ホルダー当接部
１２ＭＴ      凹凸部
１３          針カバー  
２０          ホルダー
２０Ｈ        ホルダー本体
２０ＬＲ    
スライドカバー装着部
２０ＬＲＣ  
中央溝
２０ＬＲＳ  
スライド溝
２０ＬＲＦ  
スライドカバー当接部
２０ＫＭＤＥ
末端側係止部
２０ＫＭＰＥ
基端側係止部
２０ＰＥＯ  
基端側開口部
２０Ｆ      
フランジ
２１         針基嵌合部
２１ＮＫ  針基装着部
ＳＨ        シース
ＳＨＲ      シースフランジ
【図１】
2014061205.tif 000003
【図２】
2014061205.tif 000004
【図３】
2014061205.tif 000005
【図４】
2014061205.tif 000006
【図５】
2014061205.tif 000007
【図６】
2014061205.tif 000008
【図７】
2014061205.tif 000009
【図８】
2014061205.tif 000010
【図９】
2014061205.tif 000011
【図１０】
2014061205.tif 000012
【図１１】
2014061205.tif 000013
【図１２】
2014061205.tif 000014
【図１３】
2014061205.tif 000015
【図１４】
2014061205.tif 000016
【図１５】
2014061205.tif 000017